(57)【要約】【課題】レフィル及び軸筒の軸方向の寸法ばらつきを十分に吸収する。【解決手段】筆記具１は、軸筒２と、該軸筒２内に収容されるレフィル５とからなる。前記軸筒２は、互いに螺合可能に構成された先軸３と後軸４よりなる。前記レフィル５は、先軸３の先端孔３４より外部に突出されるペン先６を備える。レフィル５の先端部に、先軸３の内壁と係止する係止壁部７３を設ける。レフィル５の後端部に、空気孔９５を有する合成樹脂製の筒状体で、レフィル５のインキ収容筒８の後端開口部内に圧入され、前記後軸４の内側壁との圧接により径方向に弾性変形可能な弾性変形部９４を備えた尾栓９を設ける。【選択図】図１
2010274667.tif 000002
【特許請求の範囲】
【請求項１】
互いに螺合可能に構成された先軸と後軸よりなる軸筒と、該先軸の先端孔より外部に突出されるペン先を備え且つ該軸筒内に収容されるレフィルとからなり、前記レフィルの先端部に、前記先軸の内壁と係止する係止壁部を設け、
前記レフィルの後端部に、空気孔を有する合成樹脂製の筒状体であり、前記レフィルのインキ収容筒の後端開口部内に圧入され、前記後軸の内側壁との圧接により径方向に弾性変形可能な弾性変形部を備えた尾栓を設けたことを特徴とする筆記具。
【請求項２】
前記尾栓が、前記インキ収容筒の後端開口部内に圧入される部分と、当該圧入部分の後方に連設され且つ前記インキ収容筒の後端面と当接する環状の鍔部と、鍔部より後方に一体に突設される径方向に弾性変形可能な弾性変形部とを備えた請求項１記載の筆記具。
【請求項３】
前記尾栓の弾性変形部が、前記鍔部より後方に一体に突設される、径方向に弾性変形可能な複数本の突片を備えた請求項２記載の筆記具。
【請求項４】
前記鍔部の後方に、３本の突片を等間隔で配設した請求項３記載の筆記具。
【請求項５】
前記突片と突片との間に隙間を形成し、前記隙間及び前記空気孔を介してレフィル内部とレフィル外部とを通気可能に構成してなる請求項３又は４記載の筆記具。
【請求項６】
前記インキ収容筒内に、インキと、該インキの後端に配置され且つ該インキの消費に伴って前進する追従体を収容してなる請求項１〜５のいずれか１項に記載の筆記具。
【請求項７】
前記弾性変形部と前記後軸の内側壁との圧接部分に潤滑剤層を形成してなる請求項１〜６のいずれか１項に記載の筆記具。
【発明の詳細な説明】
【技術分野】
【０００１】
本発明は筆記具に関する。詳細には、互いに螺合可能に構成された先軸と後軸よりなる軸筒と、該軸筒内に収容されるレフィルとからなる筆記具に関する。
【背景技術】
【０００２】
従来、実公昭６１−４２８５１号には、「インキ収納筒を収容し後軸と先軸とを螺合して組立てられる筆記具において、インキ収納筒の尾端部には後軸内部の尾端押圧部の押圧を受ける薄肉状の環状突起を形成すると共に、先端側には上記押圧により先軸の内面テーパ部に圧接して密封構造を形成する先端外周部を具えてなるインキ収納筒。」が開示されている。
【０００３】
前記従来の筆記具は、後軸内壁に当接するレフィル後端部の弾性変形部が環状突起であるため、大きな弾性変形量が得られず、軸方向の大きな寸法ばらつきを十分に吸収することができない。
【先行技術文献】
【特許文献】
【０００４】
【特許文献１】実公昭６１−４２８５１号公報
【発明の概要】
【発明が解決しようとする課題】
【０００５】
本発明は、前記従来の問題点を解決するものであって、レフィル及び軸筒の軸方向の寸法ばらつきを十分に吸収することができ、さらに、インキの消費に伴うレフィル内部への確実な空気取り込みが可能な筆記具を提供しようとするものである。
【課題を解決するための手段】
【０００６】
〔１〕本発明は、互いに螺合可能に構成された先軸３と後軸４よりなる軸筒２と、該先軸３の先端孔３４より外部に突出されるペン先６を備え且つ該軸筒２内に収容されるレフィル５とからなり、前記レフィル５の先端部に、前記先軸の内壁と係止する係止壁部７３を設け、前記レフィル５の後端部に、空気孔９５を有する合成樹脂製の筒状体であり、前記レフィル５のインキ収容筒８の後端開口部内に圧入され、前記後軸の内側壁との圧接により径方向に弾性変形可能な弾性変形部９４を備えた尾栓９を設けた構成としてある（請求項１）。
【０００７】
〔２〕好ましくは、前記尾栓９が、前記インキ収容筒８の後端開口部内に圧入される部分９２と、当該圧入部分９２の後方に連設され且つ前記インキ収容筒８の後端面と当接する環状の鍔部９３と、鍔部９３より後方に一体に突設される径方向に弾性変形可能な弾性変形部９４とを備えた構成としてもよい（請求項２）。
【０００８】
（作用）レフィル５のインキ収容筒８の後端に、前記後軸の内側壁との圧接により径方向に弾性変形可能な弾性変形部９４を備えた尾栓９を圧入することにより、弾性変形部９４の径方向の弾性変形によりレフィル５及び軸筒２の軸方向の寸法ばらつきを十分に吸収することができる。
【０００９】
〔３〕好ましくは、前記尾栓９の弾性変形部９４が、前記鍔部９３より後方に一体に突設される、径方向に弾性変形可能な複数本の突片９４を備えた構成としてもよい（請求項３）。〔４〕より好ましくは、前記鍔部の後方に、３本の突片を等間隔で配設した構成としてもよい（請求項４）。
【００１０】
（作用）前記弾性変形部が、レフィル５後端から後方に突出する、径方向に弾性変形可能な複数の突片９４を備えたことにより、大きな径方向の弾性変形が得られるため、レフィル５及び軸筒２の軸方向の寸法ばらつきを十分に吸収することができる。
【００１１】
〔５〕好ましくは、前記突片９４と突片９４との間に隙間９６を形成し、前記隙間９６及び前記空気孔９５を介してレフィル５内部とレフィル５外部とを通気可能な構成としてもよい（請求項５）。
【００１２】
（作用）レフィル５の後端部の突片９４と後軸４の内側壁との圧接状態において、前記突片９４と突片９４の間に隙間９６を形成したので、前記隙間９６及び空気孔９５を介して、レフィル５内部とレフィル５外部とを通気可能に構成される。それにより、インキ消費に伴いレフィル５内部に空気を取り入れるための空気孔９５が閉鎖されず、筆記不能となるおそれがない。
【００１３】
〔６〕前記請求項１の筆記具１において、前記インキ収容筒８内に、インキ８１と、該インキ８１の後端に配置され且つ該インキ８１の消費に伴って前進する追従体８２を収容してなること（請求項６）が好ましい。
【００１４】
（作用）レフィル５の後端部と後軸４の内壁との圧接状態において、レフィル５後端部の空気孔９５が閉鎖されないため、インキ８１の消費に伴って追従体８２をスムーズに前進させることができる。
【００１５】
〔７〕前記請求項１の筆記具１において、前記弾性変形部９４と前記後軸４の内側壁との圧接する部分に潤滑剤層を形成してなること（請求項７）が好ましい。
【００１６】
それにより、弾性変形部９４と後軸４の内側壁との円滑な圧接摺動が可能となり、先軸３と後軸４との螺合操作時のネジ締め力を小さくでき、螺合操作を容易にする。尚、前記潤滑剤層は、弾性変形部９４の表面または後軸４の内壁面のどちらに形成してもよい。
【００１７】
また、前記弾性変形部９４と前記後軸４の内側壁との圧接する部分に潤滑剤層を形成する具体的手段としては、例えば、潤滑剤を弾性変形部９４の表面又は後軸４の内側壁に塗布したり、あるいは、弾性変形部９４又は後軸４が合成樹脂成形体よりなる場合には、その合成樹脂材料に前記潤滑剤を添加することにより、弾性変形部９４の表面又は後軸９４の内側壁に潤滑剤層を形成することができる。
【発明の効果】
【００１８】
本発明は、レフィル及び軸筒の軸方向の寸法ばらつきを十分に吸収することができ、かつインキの消費に伴うレフィル内部への空気取り込みが可能となる。
【図面の簡単な説明】
【００１９】
【図１】本発明の一実施例を示す縦断面図である。
【図２】図１のＡ−Ａ線拡大断面図である。
【図３】図１におけるレフィルの正面図である。
【図４】図３のレフィルの拡大底面図である。
【発明を実施するための形態】
【００２０】
本発明の実施の形態について図面に従って説明する。
【００２１】
本発明の一実施例を図１〜図４に示す。本実施例の筆記具１は、互いに螺合可能な先軸３と後軸４とからなる軸筒２と、該軸筒２内に交換可能に収容されるレフィル５とからなる。
【００２２】
・先軸
前記先軸３は、合成樹脂（例えば、ポリカーボネート）の射出成形により得られる円筒体である。前記先軸３の外面には、小径部３１（キャップ被着部）と、該小径部３１の後方に連設される大径部３２（把持部）と、該大径部３２の後方に連設される雄ねじ部３３とが形成される。前記小径部３１の先端には先端孔３４が開口され、前記先端孔３４から、軸筒２内部に収容したレフィル５のペン先６が突出される。
【００２３】
前記先軸３の内面には、レフィル５の先端部に設けた係止壁部が当接し且つレフィル５の前方移動を阻止する規制壁部が形成される。前記規制壁部は、軸方向に延びる複数の板状リブ３５からなり、前記板状リブ３５と板状リブ３５の間に軸方向の通気路が形成され
る。
【００２４】
・後軸
前記後軸４は、合成樹脂（例えば、ポリカーボネート）の射出成形により得られる有底円筒体である。前記後軸４の先端開口部の内面には、前記先軸３の雄ねじ部３３が螺合可能な雌ねじ部４１が形成される。さらに、前記後軸４の後端部内面には、尾栓９の弾性変形部（即ち突片９４）を径方向内方へ押圧する傾斜面状の押圧壁部４２が形成される。
【００２５】
・レフィル
レフィル５は、ペン先６と、該ペン先６の後部が圧入保持されるペン先保持筒７と、該ペン先保持筒７の後部７２が先端開口部に圧入固着されるインキ収容筒８と、該インキ収容筒８の後端開口部に圧入固着される尾栓９とからなる。前記インキ収容筒８の内部には、インキ８１（具体的には水性ゲルインキ）と該インキ８１の消費に伴って前進するグリス状の追従体８２が充填される。
【００２６】
・ペン先
前記ペン先６は、金属製パイプ（例えば、ステンレス鋼製パイプ）の先端部を内方へ押圧変形させることにより、先端縁部とボール受け座とを形成し、前記先端縁部とボール受け座との間に、ボールを回転可能に抱持してなるボールペンチップである。
【００２７】
・ペン先保持筒
前記ペン先保持筒７は、合成樹脂（例えば、ポリプロピレン）の射出成形により得られる筒状体である。前記ペン先保持筒７は、ペン先６を保持する前部７１と、インキ収容筒８の先端開口部に圧入される後部７２と、該前部７１と該後部７２との間に形成され、インキ収容筒８の先端面に当接する鍔部７３とが一体に形成されてなる。
【００２８】
前記ペン先保持筒７の鍔部７３の前面は、レフィル５を軸筒２内に収容した際、先軸３の内面の板状リブ３５（即ち規制壁部）と軸方向に係止する係止壁部となる。
【００２９】
前記ペン先保持筒７の前部７１外面には、軸方向に延びる複数本のリブ７４が等間隔に形成され、前記リブ７４が先軸３の先端孔３４内面に圧接されるとともに、先端孔３４内面とペン先保持筒７外面との間に通気路が形成される。また、前記ペン先保持筒７の鍔部７３（即ち係止壁部）には、複数の径方向の溝７５が等間隔に形成され、鍔部７３と板状リブ３５（即ち規制壁部）とが係止した際、その係止箇所において通気路が形成される。
【００３０】
・尾栓
前記尾栓９は、合成樹脂（例えば、ポリプロピレン）の射出成形により得られる筒状体である。前記尾栓９の外面には、小径部９１と、該小径部９１の後方に連設され且つインキ収容筒８の後端開口部内面に圧入される大径部９２と、該大径部９２の後方に連設され且つインキ収容筒８の後端面と当接する環状の鍔部９３と、該鍔部９３より後方に一体に突設される複数本（具体的には３本）の突片９４（即ち弾性変形部）とが一体に形成されてなる。また、前記尾栓９の軸心には、空気孔９５が貫設され、それにより、インキ収容筒８内の追従体８２の後方の空間とインキ収容筒８の外部とが通気可能に連通される。
【００３１】
前記突片９４は、軸心の空気孔９５の周りに等間隔に配置される。前記突片９４は、その外面が後軸４の内面の傾斜面状の押圧壁部４２に圧接され、径方向内方に弾性変形される。尚、前記構成（即ち、突片９４の外面に押圧壁部４２を圧接させ、径方向内方に突片９４を弾性変形させる構成）の他にも、突片９４の内面に押圧壁部４２を圧接させ、径方向外方に突片９４を弾性変形させる構成でもよい。
【００３２】
前記尾栓９は、潤滑剤を添加した合成樹脂材料により成形され、前記尾栓９の表面には、潤滑剤層が形成される。それにより、先軸３と後軸４を螺合させる際、突片９４と傾斜面状の押圧壁部４２とが円滑に摺動しながら圧接するため、ネジ締め力を小さくでき螺合操作が容易となる。その上、前記潤滑剤層により、突片９４が傾斜面状の押圧壁部４２に食いつくことが防止でき、それにより、レフィル５を後軸４から容易に取り外すことができ、また、レフィルを後軸から取り外した際に尾栓９をレフィル５の後端から外すおそれがない。
【００３３】
また、本実施例は、軸筒２内にレフィル５を収容させた状態において、径方向に弾性変形した突片９４と突片９４が互いに密着せず、突片９４と突片９４の間に隙間９６を有する構成である。そのため、前記突片９４が径方向にさらに弾性変形可能である。それにより、筆記時に大きな筆圧が加わったとしても、突片９４の弾発力により、その筆圧を吸収することができる。
【符号の説明】
【００３４】
１  筆記具
２  軸筒
３  先軸
３１  小径部
３２  大径部
３３  雄ねじ部
３４  先端孔
３５  板状リブ（規制壁部）
４  後軸
４１  雌ねじ部
４２  押圧壁部
５  レフィル
６  ペン先
７  ペン先保持筒
７１  前部
７２  後部
７３  鍔部（係止壁部）
７４  リブ
７５  溝
８  インキ収容筒
８１  インキ
８２  追従体
９  尾栓
９１  小径部
９２  大径部
９３  鍔部
９４  突片（弾性変形部）
９５  空気孔
９６  隙間
【図１】
2010274667.tif 000003
【図２】
2010274667.tif 000004
【図３】
2010274667.tif 000005
【図４】
2010274667.tif 000006